(57)【要約】【課題】支柱の立設工事等を迅速に行うことが可能な穿孔用具等を提供する。【解決手段】穿孔用具は、支柱等の設置対象部材が固定される躯体部（プラットホーム等）の設置領域内に固定用のコアを穿孔するための穿孔用具であり、昇降自在のドリル部を備える穿孔機が搭載される穿孔機搭載部１１と、前記ドリル部を挿入可能な窓枠状に切り欠かれた切欠き部１２と、穿孔機搭載部１１と切欠き部１２との間に設けられ、前記設置領域内の躯体部に連結される棒状のアンカー部材を回転自在に挿入可能な据付用孔１３と、を備える穿孔機搭載用プレート１を有する。【選択図】図１
2020082710.tif 000002
【特許請求の範囲】
【請求項１】
設置対象部材が固定される躯体部の設置領域内に固定用のコアを穿孔するための穿孔用具において、
昇降自在のドリル部を備える穿孔機が搭載される穿孔機搭載部と、
前記ドリル部を挿入可能な窓枠状に切り欠かれた切欠き部と、
前記穿孔機搭載部と前記切欠き部との間に設けられ、前記設置領域内の躯体部に連結される棒状のアンカー部材を回転自在に挿入可能な据付用孔と、
を備える穿孔機搭載用プレートを有することを特徴とする穿孔用具。
【請求項２】
請求項１記載の穿孔用具であって、
前記据付用孔が間隔をあけて複数設けられており、
複数の前記据付用孔のうちいずれか１つに前記アンカー部材が挿入されることを特徴とする穿孔用具。
【請求項３】
請求項１又は２記載の穿孔用具であって、
前記穿孔機搭載用プレートに加えて、
前記アンカー部材としての全ネジボルトを有し、
前記穿孔機搭載用プレートの表面には、前記据付用孔に連通するとともに前記全ネジボルトが螺入されるナットが固設されていることを特徴とする穿孔用具。
【請求項４】
請求項１〜３のいずれか１項に記載の穿孔用具であって、
前記穿孔機搭載部には前記穿孔機が装着される搭載用ボルトが立設されていることを特徴とする穿孔用具。
【請求項５】
請求項１記載の穿孔用具を用いた穿孔方法であって、
前記躯体部の前記設置領域内に第１のアンカー孔を形成する工程１と、
棒状のアンカー部材の先端を前記第１のアンカー孔に連結することにより、前記設置領域内に前記アンカー部材を立設する工程２と、
前記アンカー部材に対して前記据付用孔の１つを挿入することにより、前記アンカー部材を回転軸として、前記穿孔機搭載用プレートを前記躯体部に回転自在に取り付ける工程３と、
昇降自在のドリル部を備える穿孔機を、前記穿孔機搭載部に搭載する工程４と、
前記ドリル部を前記躯体部に衝突しない位置まで上昇させた状態で、未穿孔の穿孔対象位置の上方に前記切欠き部が配置される位置まで前記穿孔機搭載用プレートを回転させる工程５と、
前記ドリル部の先端を前記切欠き部内を通過させて、前記穿孔対象位置にコアを穿孔する工程６と、
前記切欠き部を上方に配置可能な穿孔対象位置の全てにコアを穿孔するまで、上記工程５及び工程６を繰り返す工程７と、
を含むことを特徴とする穿孔方法。
【請求項６】
前記据付用孔が間隔をあけて複数設けられており、
前記工程１〜前記工程７を実行した後、未穿孔の穿孔対象位置がある場合には、
前記工程３で挿入した据付用孔とは異なる据付用孔の１つに前記アンカー部材を挿入することにより、前記穿孔機搭載用プレートを前記躯体部に回転自在に取り付けるステップａと、
未穿孔の穿孔対象位置の上方に前記切欠き部が配置される位置まで前記穿孔機搭載用プレートを回転させるステップｂと、
前記ドリル部の先端を前記切欠き部内を通過させて、前記穿孔対象位置にコアを穿孔するステップｃと、
を含む工程８を実行することを特徴とする請求項５記載の穿孔方法。
【請求項７】
前記工程１〜前記工程７を実行した後、未穿孔の穿孔対象位置がある場合には、
前記設置領域内の前記第１のアンカー孔とは異なる位置に第２のアンカー孔を形成するステップと、
前記第１のアンカー孔から取り外した前記アンカー部材の先端を前記第２のアンカー孔に連結することにより、前記設置領域内に前記アンカー部材を立設するステップと、
を含む工程を実行した後、
前記工程３〜前記工程７を再度実行することを特徴とする請求項５記載の穿孔方法。
【請求項８】
請求項１記載の穿孔用具を用いて、支柱のベースプレートに設けられた固定用孔に連通するコアを前記設置領域内に設定された複数の穿孔対象位置に穿孔し、前記設置領域に前記支柱を立設する支柱立設方法であって、
前記ベースプレートを配置可能な凹部を前記躯体部に形成する工程Ａと、
前記凹部底面にアンカー孔を形成する工程Ｂと、
棒状のアンカー部材の先端を前記アンカー孔に連結することにより、前記凹部内に前記アンカー部材を立設する工程Ｃと、
前記アンカー部材に対して前記据付用孔の１つを挿入することにより、前記アンカー部材を回転軸として、前記凹部の全部ないし一部を覆うように、前記穿孔機搭載用プレートを前記躯体部に回転自在に取り付ける工程Ｄと、
昇降自在のドリル部を備える穿孔機を、前記穿孔機搭載部に搭載する工程Ｅと、
前記ドリル部を前記躯体部に衝突しない位置まで上昇させた状態で、未穿孔の穿孔対象位置の上方に前記切欠き部が配置される位置まで前記穿孔機搭載用プレートを回転させる工程Ｆと、
前記ドリル部の先端を前記切欠き部内を通して前記凹部内に降下させて、前記穿孔対象位置にコアを穿孔する工程Ｇと、
前記穿孔対象位置の全てにコアを穿孔するまで、上記工程Ｆ及び工程Ｇを繰り返す工程Ｈと、
前記穿孔機、前記穿孔機搭載用プレート及び前記アンカー部材を撤去した後、前記コアのそれぞれに前記固定用孔のそれぞれが連通するように前記ベースプレートを前記凹部底面上に配置する工程Ｉと、
前記固定用孔及び前記コアに装着される固定用金具を用いて、前記ベースプレートを前記躯体部に対して固定することにより前記支柱を立設する工程Ｊと、
前記凹部を埋設する工程Ｋと、
を含むことを特徴とする支柱立設方法。
【請求項９】
前記ベースプレートが平面視長方形状であり、前記固定用孔が前記ベースプレートの各隅部に設けられている場合には、
前項工程Ｂにおいて、前記アンカー孔を、それぞれの前記穿孔対象位置までの距離がほぼ等しい前記凹部底面の略中央に形成することを特徴とする請求項８記載の支柱立設方法。
【発明の詳細な説明】
【技術分野】
【０００１】
本発明は、穿孔用具、穿孔方法、及び、当該穿孔用具を用いた支柱設置方法に関し、特に、ベースプレートを備える支柱を設置する際に用いられて好適な穿孔用具、穿孔方法、及び、当該穿孔用具を用いた支柱設置方法に関する。
【背景技術】
【０００２】
新幹線等のプラットホームには、線路内への旅客の転落や通行車両との接触等を防止するため、線路に面するように固定柵が構築されているものがある。固定柵を構築するため、線路に面するホーム端には、所定の間隔で支柱が立設されている。
【０００３】
このような支柱（設置対象部材）には、その基端部にベースプレートを備え、ボルト等の固定用金具を用いてベースプレートを躯体部（プラットホーム）に固定することにより、支柱を立設するようにしたものがある。ベースプレートを躯体部に固定するための前工程として、コアドリル（以下「穿孔機」という。）を用いて、支柱の設置領域内に設定された複数の穿孔対象位置のそれぞれに、固定用金具を装着するためのコアが穿孔される。
【０００４】
図１１は、昇降自在のドリル部３１を備える穿孔機３を用いて、従来の方法により、プラットホーム９の凹部９３に固定用のコア９５を複数穿設した状態を示す部分断面図である。図１１に示すように、プラットホーム９上に支柱を立設する場合には、通行の便宜上、支柱の設置領域内にあるタイル９１を切り出す等してベースプレートが収容可能な凹状に窪んだ凹部９３を形成し、この凹部９３底面上にベースプレートを固設して埋設することにより、支柱の周囲を平坦に形成する場合がある。穿孔機３は昇降（前後進）可能なドリル部３１を備えており、ドリル部３１の先端が穿孔対象位置の上方に配置されるように穿孔機３を設置した後、ドリル部３１を降下（前進）させてスラブ９２の穿孔対象位置を削孔し、スラブ９２の裏面側に貫通するコア９５を順次穿孔する。次いで、穿孔機３を撤去して、ベースプレートを凹部９３内に配置し、固定用金具を用いて、プラットホームのスラブ９２にベースプレートを固定して支柱を立設する。その後、凹部９３内に無収縮モルタル等を充填して硬化させることにより、ホーム面９６下にベースプレートを埋設して支柱の周囲を平坦に形成する。
【０００５】
穿孔機３をホーム面９６上に据え付けるため、穿孔機装着用のアンカーボルト８をホーム面９６上に立設する場合がある。アンカーボルト８を立設するため、タイル９１面上にはアンカー孔９４が穿孔される。穿孔対象位置はベースプレートに設けられた固定用孔の位置に応じて設定される。ベースプレートに複数の固定用孔が設けられている場合には、各固定用孔に対応するそれぞれの位置にコアを穿孔するため、都度、穿孔機３の据付位置を変える必要がある。従来の方法によると、穿孔機３の据付位置にあわせて、図１１に示すように、アンカーボルト８を立設するためのアンカー孔９４を複数穿設する必要があった。
【０００６】
ホーム面９６上にアンカー孔９４が開口したままでは旅客がつまずいて転倒するおそれがあるため、穿孔機３撤去後にアンカー孔９４を補修する必要が生じる。この点、アンカーボルトを利用しないで、コアドリルを据え付けるための手段として、特許文献１に開示される技術が知られている。
【先行技術文献】
【特許文献】
【０００７】
【特許文献１】特開２００９−１４８９８１号公報
【発明の概要】
【発明が解決しようとする課題】
【０００８】
プラットホームのような工事可能時間が限られている場所では、各種工事を迅速に行うことが求められる。この点、特許文献１に開示される技術は、両側面の有るコンクリート部、いわば突出部のあるコンクリート部の上にコアドリルを据え付ける際に用いられることを想定した技術に過ぎず、プラットホームのような平坦な場所に穿孔機を設置する際に適用可能な技術ではなく、また、穿孔対象位置が複数ある場合には、都度、穿孔機の据付位置を変える必要が生じ、煩雑である。
【０００９】
本発明は、上記課題に鑑みてなされたもので、支柱の立設工事等を迅速に行うことが可能な、穿孔用具、穿孔方法、及び、当該穿孔用具を用いた支柱設置方法を提供することを目的とする。
【課題を解決するための手段】
【００１０】
本発明の穿孔用具は、
設置対象部材が固定される躯体部の設置領域内に固定用のコアを穿孔するための穿孔用具において、
昇降自在のドリル部を備える穿孔機が搭載される穿孔機搭載部と、
前記ドリル部を挿入可能な窓枠状に切り欠かれた切欠き部と、
前記穿孔機搭載部と前記切欠き部との間に設けられ、前記設置領域内の躯体部に連結される棒状のアンカー部材を回転自在に挿入可能な据付用孔と、
を備える穿孔機搭載用プレートを有することを特徴とする。
【００１１】
なお、前記削孔用具は、
前記据付用孔が間隔をあけて複数設けられており、
複数の前記据付用孔のうちいずれか１つに前記アンカー部材が挿入されるものであっても良い。
あるいは、前記削孔用具は、
前記穿孔機搭載用プレートに加えて、
前記アンカー部材としての全ネジボルトを有し、
前記穿孔機搭載用プレートの表面には、前記据付用孔に連通するとともに前記全ネジボルトが螺入されるナットが固設されているようにしても良い。
あるいは、前記穿孔用具は、
前記穿孔機搭載部には前記穿孔機が装着される搭載用ボルトが立設されているものであっても良い。
【００１２】
本発明の穿孔方法は、前記穿孔用具を用いた穿孔方法であって、
前記躯体部の前記設置領域内に第１のアンカー孔を形成する工程１と、
棒状のアンカー部材の先端を前記第１のアンカー孔に連結することにより、前記設置領域内に前記アンカー部材を立設する工程２と、
前記アンカー部材に対して前記据付用孔の１つを挿入することにより、前記アンカー部材を回転軸として、前記穿孔機搭載用プレートを前記躯体部に回転自在に取り付ける工程３と、
昇降自在のドリル部を備える穿孔機を、前記穿孔機搭載部に搭載する工程４と、
前記ドリル部を前記躯体部に衝突しない位置まで上昇させた状態で、未穿孔の穿孔対象位置の上方に前記切欠き部が配置される位置まで前記穿孔機搭載用プレートを回転させる工程５と、
前記ドリル部の先端を前記切欠き部内を通過させて、前記穿孔対象位置にコアを穿孔する工程６と、
前記切欠き部を上方に配置可能な穿孔対象位置の全てにコアを穿孔するまで、上記工程５及び工程６を繰り返す工程７と、
を含むことを特徴とする。
【００１３】
なお、前記削孔方法は、
前記据付用孔が間隔をあけて複数設けられており、
前記工程１〜前記工程７を実行した後、未穿孔の穿孔対象位置がある場合には、
前記工程３で挿入した据付用孔とは異なる据付用孔の１つに前記アンカー部材を挿入することにより、前記穿孔機搭載用プレートを前記躯体部に回転自在に取り付け直すステップａと、
未穿孔の穿孔対象位置の上方に前記切欠き部が配置される位置まで前記穿孔機搭載用プレートを回転させるステップｂと、
前記ドリル部の先端を前記切欠き部内を通過させて、前記穿孔対象位置にコアを穿孔するステップｃと、
を含む工程８を実行するものであっても良い。
あるいは、前記削孔方法は、
前記工程１〜前記工程７を実行した後、未穿孔の穿孔対象位置がある場合には、
前記設置領域内の前記第１のアンカー孔とは異なる位置に第２のアンカー孔を形成するステップと、
前記第１のアンカー孔から取り外した前記アンカー部材の先端を前記第２のアンカー孔に連結することにより、前記設置領域内に前記アンカー部材を立設し直すステップと、
を含む工程を実行した後、
前記工程３〜前記工程７を再度実行するものであっても良い。
【００１４】
本発明の支柱立設方法は、前記穿孔用具を用いて、支柱のベースプレートに設けられた固定用孔に連通するコアを前記設置領域内に設定された複数の穿孔対象位置に穿孔し、前記設置領域に前記支柱を立設する支柱立設方法であって、
前記ベースプレートを配置可能な凹部を前記躯体部に形成する工程Ａと、
前記凹部底面にアンカー孔を形成する工程Ｂと、
棒状のアンカー部材の先端を前記アンカー孔に連結することにより、前記凹部内に前記アンカー部材を立設する工程Ｃと、
前記アンカー部材に対して前記据付用孔の１つを挿入することにより、前記アンカー部材を回転軸として、前記凹部の全部ないし一部を覆うように、前記穿孔機搭載用プレートを前記躯体部に回転自在に取り付ける工程Ｄと、
昇降自在のドリル部を備える穿孔機を、前記穿孔機搭載部に搭載する工程Ｅと、
前記ドリル部を前記躯体部に衝突しない位置まで上昇させた状態で、未穿孔の穿孔対象位置の上方に前記切欠き部が配置される位置まで前記穿孔機搭載用プレートを回転させる工程Ｆと、
前記ドリル部の先端を前記切欠き部内を通して前記凹部内に降下させて、前記穿孔対象位置にコアを穿孔する工程Ｇと、
前記穿孔対象位置の全てにコアを穿孔するまで、上記工程Ｆ及び工程Ｇを繰り返す工程Ｈと、
前記穿孔機、前記穿孔機搭載用プレート及び前記アンカー部材を撤去した後、前記コアのそれぞれに前記固定用孔のそれぞれが連通するように前記ベースプレートを前記凹部底面上に配置する工程Ｉと、
前記固定用孔及び前記コアに装着される固定用金具を用いて、前記ベースプレートを前記躯体部に対して固定することにより前記支柱を立設する工程Ｊと、
前記凹部を埋設する工程Ｋと、
を含むことを特徴とする。
【００１５】
なお、前記支柱立設方法は、
前記ベースプレートが平面視長方形状であり、前記固定用孔が前記ベースプレートの各隅部に設けられている場合には、
前項工程Ｂにおいて、前記アンカー孔を、それぞれの前記穿孔対象位置までの距離がほぼ等しい前記凹部底面の略中央に形成するものであっても良い。
【発明の効果】
【００１６】
本発明によれば、支柱の立設工事等を迅速に行うことができる。
【図面の簡単な説明】
【００１７】
【図１】一実施の形態である穿孔機搭載用プレートを示す平面図である。
【図２】図１に示す穿孔機搭載用プレートのＡ−Ａ断面図である。
【図３】図１に示す穿孔機搭載用プレートを躯体部に取り付けた状態を側面方向から示す部分断面図である。
【図４】図３に示す穿孔機搭載用プレートに搭載された穿孔機を用いて、躯体部の穿孔対象位置にコアを穿孔する過程を側面方向から示す部分断面図である。
【図５】第１の穿孔対象位置にコアを穿設した状態を示す平面図である。
【図６】第２の穿孔対象位置にコアを穿設した状態を示す平面図である。
【図７】第３の穿孔対象位置にコアを穿設した状態を示す平面図である。
【図８】第４の穿孔対象位置にコアを穿設した状態を示す平面図である。
【図９】第１〜第４の穿孔対象位置にコアを穿孔した後、穿孔機及び穿孔用具を撤去した状態を示す平面図である。
【図１０】設置領域内に設置対象部材である支柱の基端部を固設した状態を側面方向から示す部分断面図である。
【図１１】穿孔機を用いて、従来の方法により、プラットホームの凹部に固定用のコアを複数穿孔した状態を示す部分断面図である。
【発明を実施するための形態】
【００１８】
以下、本発明を具体的に説明するが、本発明は図示される実施の形態又は実施例に限定されるものではない。
【００１９】
図１は一実施の形態である穿孔機搭載用プレート１を示す平面図であり、図２は図１に示す穿孔機搭載用プレート１のＡ−Ａ断面図である。本発明に係る穿孔用具は、設置対象部材が固定される躯体部の設置領域内に固定用のコアを穿孔するための穿孔用具であり、昇降自在のドリル部を備える穿孔機が搭載される穿孔機搭載部１１と、前記ドリル部を挿入可能な窓枠状に切り欠かれた切欠き部１２と、穿孔機搭載部１１と切欠き部１２との間に設けられ、前記設置領域内の躯体部に連結される棒状のアンカー部材を回転自在に挿入可能な据付用孔１３と、を備える穿孔機搭載用プレート１を有する。
【００２０】
本発明を適用することが可能な設置対象部材は、例えば、固定柵を構築するための支柱であるが、これに限られず、床面や壁面、天井面に設置される看板の支柱・ポールや、屋外用スロープの支柱、カーポートの支柱、その他、躯体部に穿設された固定用のコアに固定されることにより設置される各種部材にも適用することができる。また、基端部にベースプレートを備える支柱の場合においては、躯体部の設置領域にはベースプレートの設置領域を含む。
【００２１】
穿孔機搭載用プレート１に搭載される穿孔機は、先端にドリルビットが装着されたドリル部と、ドリル部を昇降自在（前後進自在）に支持するガイド部と、ガイド部を支持し穿孔機搭載部に装着されるベース部とを備えており（図４参照）、ドリル部を降下（前進）させることにより被工作物に円筒状のコアを穿孔することができる。
【００２２】
穿孔機搭載用プレート１は、平面視長方形状の鋼板であり、一方に穿孔機搭載領域としての穿孔機搭載部１１を備えており、他方に、平面視四角形の窓枠状に切り抜かれた切欠き部１２を備えており、穿孔機搭載部１１には切欠き部１２の直上にドリル部が配置されるように穿孔機が搭載される。図１に示す穿孔機搭載用プレート１は、縦（短辺）方向寸法２２０ｍｍ、横（長辺）方向寸法５００ｍｍにより形成されており、切欠き部１２は、縦方向寸法約１５０ｍｍ、横方向寸法約１００ｍｍに切り抜かれているが、これらの寸法は、搭載される穿孔機のサイズや、穿孔対象位置等に応じて任意に設定される。好ましくは、切欠き部１２は面取り処理が行われ、表面の仕上げとしてメッキ又はさび止め処理が行われる。
【００２３】
窓枠状に切り抜かれた切欠き部１２には、切欠き部１２を囲うように連続的に縁部１２１（枠部）が形成されている。これにより、凹状に形成された躯体部の凹部底面を設置領域とする場合であっても、当該設置領域の全部ないし一部を覆うように穿孔機搭載用プレート１を取り付けることができ、躯体部に対する載置（接触）面積が確保されるので、安定して穿孔機を設置することができるとともに、穿孔機作動時の躯体部に対する衝撃力を緩和することができる。なお、本実施の形態における切欠き部１２は四角形状に切り抜かれているが、ドリル部を挿入可能な形状であれば円形状やその他の多角形状であっても良い。
【００２４】
穿孔機搭載部１１には穿孔機が装着される搭載用ボルト１５が立設されており、この搭載用ボルト１５に対して穿孔機を装着することにより、穿孔機搭載用プレート１上に穿孔機が着脱可能に搭載される。図１１に示す従来例によると、穿孔機３のベース部３３を貫通するアンカーボルト８を用いて躯体部に穿孔機３を設置していたが（図１１参照）、穿孔機搭載用プレート１上に搭載用ボルト１５を設けることにより、アンカー孔を空けずに、穿孔機３を穿孔機搭載用プレート１上に搭載することができる。
【００２５】
穿孔機搭載部１１の四隅にある一点鎖線で示す円形１１１は、穿孔機の高さ調整用ボルト（図示しない）が配置される箇所を示す。また、穿孔機搭載部１１の略中央に示す長方形状の一点鎖線部１１２は、搭載される穿孔機が切欠き部１２に接近又は離間する方向に移動調整可能であることを示す。即ち、穿孔機搭載用プレート１には、好ましくは、切欠き部１２に接近又は離間する方向に移動調整可能な穿孔機が搭載される。このような搭載機としては、例えば、搭載用ボルト１５が挿入される設置用孔としての長穴が設けられており、搭載用ボルト１５に螺合する図示しない締結用部材を用いて長穴に対する搭載用ボルト１５の締結位置を調整することにより、切欠き部１２に対する穿孔機の搭載位置を移動調整可能なものを用いることができる。なお、搭載用ボルト１５は穿孔機搭載手段の一例に過ぎず、穿孔機のタイプに応じて任意の搭載手段が選択可能である。
【００２６】
穿孔機搭載部１１と切欠き部１２との間には、棒状のアンカー部材を回転自在に挿入可能な円形の据付用孔１３が設けられている。据付用孔１３に挿入される棒状のアンカー部材（後述の全ネジボルト２等）は、据付用孔１３の１つに挿入されて、その先端が設置領域内の躯体部に連結される。躯体部に取り付けられた穿孔機搭載用プレート１は、このアンカー部材を回転軸として、穿孔機３を搭載した状態で、正逆自在に回転させることができる。穿孔機搭載用プレート１を回転させることにより、切欠き部１２の位置、即ち、ドリル部による穿孔位置を変えることができる。
【００２７】
従来、凹部４３に支柱５を立設する際には、反力をとるために、穿孔機３は、凹部９３の外側に配置しており（図１１参照）、穿孔後には、アンカー孔９４の補修、より具体的には、タイル９１の補修又は交換を要し、穿孔位置が変わる度に穿孔機３の据付位置を変える場合には、補修が複数箇所に及ぶため、補修作業にコストと時間を要していた。これに対し、穿孔機搭載用プレート１を有する穿孔用具によれば、穿孔機３を搭載した状態で穿孔位置を変えることができるため、穿孔対象位置が複数ある場合であっても、コアの穿孔を迅速に行うことができ、支柱の立設工事等を迅速に行うことができる。また、穿孔機搭載用プレート１を躯体部に取り付けるためのアンカー部材は、設置対象部材が固定される設置領域内の躯体部に連結されるため、連結の際に生じるアンカー孔４４を別途補修する必要が無く、支柱の立設工事等を迅速に行うことができる。すなわち、従来の方法によれば、連結の際に生じるアンカー孔９４が設置領域の外側に設けられるため（図１１参照）、これを別途補修する工程が必要であったが、本願発明によれば、設置対象部材の基端部又は基端部に備え付けられるベースプレートを固定する際に、これらの部材により覆われて隠れるか、又は、これらの部材とともに埋設されるため、アンカー孔を別途補修する工程が必要ない。加えて、切欠き部１２は窓枠状に切り欠かれてその縁部１２１が連続的に形成されており、穿孔機搭載用プレート１が載置される載置面上の広い領域で反力を得ることができるため、穿孔機を作動させたときにタイル等の載置面が傷みにくく、穿孔後の補修が不要であることから、迅速に支柱の立設工事等を終えることができる。
【００２８】
本実施の形態においては、据付用孔１３は間隔をあけて複数設けられている。複数の据付用孔１３が設けられている場合には、これらの据付用孔１３のうちいずれか１つにアンカー部材が挿入される。これらの据付用孔１３のいずれか１つにアンカー部材を選択的に挿入することにより、躯体部に対する穿孔機搭載用プレート１の取付位置、即ち、ドリル部による穿孔位置を変えることができるので、穿孔可能範囲が広がる。なお、据付用孔１３は、短辺方向に一定の間隔で３か所設けられているが、これに限られず、穿孔機搭載部１１と切欠き部１２との間の適宜の位置に１つ以上の任意の個数を設けるようにしても良い。
【００２９】
図３は、図１に示す穿孔機搭載用プレートを躯体部に取り付けた状態を側面方向から示す部分断面図である。図３に示すとおり、穿孔用具は、上述の穿孔機搭載用プレート１に加えて、アンカー部材としての全ネジボルト２を有する。穿孔機搭載用プレート１の表面には、据付用孔１３に連通するとともに当該全ネジボルト２が螺入されるナット１４が固設されている。据付用孔１３が複数設けられる場合には、据付用孔１３のそれぞれにナット１４が溶接により固設される。これにより、設置領域内の躯体部に立設されたアンカー部材としての全ネジボルト２に対して、穿孔機搭載用プレート１の底面側からねじ込むようにして取り付けることができる。加えて、全ネジボルト２をねじ込むことにより、プラットホーム４に対して穿孔機搭載用プレート１を隙間なく取り付けることができる。なお、全ネジボルト２は、アンカー部材の一例に過ぎない。
【００３０】
次に、本発明に係る穿孔用具を用いた穿孔方法、即ち、穿孔機搭載用プレート１を有する穿孔用具を用いた穿孔方法について説明する。本発明に係る第１の態様の穿孔方法は、次の工程１〜工程８を含むものである。
【００３１】
先ず、躯体部の設置領域内に第１のアンカー孔を形成する（工程１）。次に、棒状のアンカー部材の先端を前記第１のアンカー孔に連結することにより、前記設置領域内に前記アンカー部材を立設する（工程２）。次いで、前記アンカー部材に対して前記据付用孔１３の１つを挿入することにより、前記アンカー部材を回転軸として、前記穿孔機搭載用プレート１を前記躯体部に回転自在に取り付ける（工程３）。その後、昇降自在のドリル部を備える穿孔機を、前記穿孔機搭載部に搭載し（工程４）、前記ドリル部を前記躯体部に衝突しない位置まで上昇させた状態で、未穿孔の穿孔対象位置の上方に前記切欠き部が配置される位置まで前記穿孔機搭載用プレートを回転させる（工程５）。そして、ドリル部の先端を切欠き部１２内を通過させて、穿孔対象位置にコアを穿孔する（工程６）。穿孔対象位置が複数ある場合、切欠き部１２を上方に配置可能な穿孔対象位置の全てにコアを穿孔するまで、工程５及び工程６を繰り返す（工程７）。工程５及び後述のステップｂにおいては、好ましくは、穿孔対象位置の直上にドリル部の先端が配置される位置まで穿孔機搭載用プレートを回転させるが、プレートの回転のみでは穿孔対象位置の直上にドリル部の先端が配置されない場合には、前述のとおり搭載用ボルト１５の締結位置を調整する等して切欠き部１２に対する穿孔機の搭載位置を適宜調整するようにしても良い。
【００３２】
第１の態様の穿孔方法によれば、設置対象部材の基端部を固定する躯体部の設置領域内に固定用のコアを迅速に穿孔することができ、支柱の立設工事等を迅速に終えることができる。すなわち、穿孔機を搭載した状態で穿孔位置を変えることができるため、複数の固定用のコアを迅速に穿孔することができる。また、穿孔機を設置するためのアンカー孔が設置対象部材の設置領域内に形成され、穿孔後は設置対象部材の基端部等に覆われて隠れるか、又は、当該基端部とともに埋設等されるため、別途補修する必要が無い。加えて、穿孔機搭載用プレート１によれば、前述のとおり、穿孔機設置面が傷みにくく、穿孔後の補修が不要である。
【００３３】
前記工程１〜前記工程７を実行した後、未穿孔の穿孔対象位置がある場合であって、穿孔機搭載用プレート１には据付用孔１３が複数設けられている場合には、本発明に係る第２の態様の穿孔方法を適用することができる。本発明に係る第２の態様の穿孔方法は、工程１〜工程７に加えて、次の工程８を含むものである。
【００３４】
すなわち、穿孔機搭載用プレート１には前記据付用孔が間隔をあけて複数設けられており、前記工程１〜工程７を実行した後、未穿孔の穿孔対象位置がある場合には、（ａ）  前記工程３で挿入した据付用孔１３とは異なる据付用孔１３の１つに前記アンカー部材を挿入することにより、前記穿孔機搭載用プレート１を前記躯体部に回転自在に取り付け直すステップａと、（ｂ）未穿孔の穿孔対象位置の上方に前記切欠き部１２が配置される位置まで前記穿孔機搭載用プレート１を回転させるステップｂと、（ｃ）前記ドリル部の先端を前記切欠き部１２内を通過させて、前記穿孔対象位置にコアを穿孔するステップｃと、を含む工程８を実行する。
【００３５】
第２の態様の穿孔方法によれば、躯体部に対する穿孔機搭載用プレート１の取付位置、即ち、ドリル部による穿孔可能位置を変えることができる。未穿孔の穿孔対象位置に対応可能な据付用孔１３にアンカー部材を挿入し直すことにより、当該穿孔対象位置にコアを穿孔することができる。
【００３６】
あるいは、前記工程１〜工程７を実行した後、未穿孔の穿孔対象位置がある場合には、本発明に係る第３の態様の穿孔方法を適用することもできる。本発明に係る第３の態様の穿孔方法は、工程１〜工程７に加えて、次の工程を含むものである。
【００３７】
すなわち、前記工程１〜前記工程７を実行した後、未穿孔の穿孔対象位置がある場合には、（ア）前記設置領域内の前記第１のアンカー孔とは異なる位置に第２のアンカー孔を形成するステップと、前記第１のアンカー孔から取り外した前記アンカー部材の先端を前記第２のアンカー孔に連結し直すことにより、前記設置領域内に前記アンカー部材を立設するステップと、を含む工程を実行した後、（イ）前記工程３〜前記工程７を再度実行する。
【００３８】
第３の態様の穿孔方法によれば、躯体部に対する穿孔機搭載用プレート１の取付位置、即ち、ドリル部による穿孔可能位置を変えることができる。未穿孔の穿孔対象位置に対応可能な位置に第２のアンカー孔を設けて穿孔機搭載用プレート１を取り付け直すことにより、当該穿孔対象位置にコアを穿孔することができる。いずれのアンカー孔も設置領域内に設けられ、設置対象部材の基端部に覆われて隠れるか、又は、これとともに埋設されるため、別途、アンカー孔の補修をする必要がない。
【００３９】
次に、図１に示す穿孔用具を用いて、支柱５のベースプレート６に設けられた固定用孔６１に連通するコア４５を、躯体部としてのプラットホーム４端にある設置領域内に設定された複数の穿孔対象位置に穿孔し、前記設置領域に支柱５を立設する支柱立設方法を、図３〜図１０を適宜参照しつつ詳細に説明する。本発明に係る支柱立設方法は、後述の工程Ａ〜工程Ｋを含むものである。なお、支柱５は、図１０に示すとおり、プラットホーム４に対して鉛直方向に立設される本体部５１と、支柱が設置されるプラットホーム４の設置領域内に固設される基端部５２とを有し、支柱５の基端部５２には平面視長方形状のベースプレート６が一体として備え付けられており、ベースプレート６の各隅部には計４か所の固定用孔６１が設けられている。
【００４０】
図３は図１に示す穿孔用具を躯体部としてのプラットホーム４に取り付けた状態を側面方向から示す部分断面図であり、特に、支柱５が立設されるプラットホーム４の端部近傍を側面方向から示した図である。図４は図３に示す穿孔機搭載用プレート１に搭載された穿孔機３を用いて、プラットホーム４の穿孔対象位置にコア４５を穿孔する過程を側面方向から示す部分断面図である。躯体部としてのプラットホーム４は、スラブ４２やタイル４１、点字ブロック等により構成されており、スラブ４２の下方は開放空間となっている。
【００４１】
先ず、ベースプレート６を収容可能な凹部４３を、躯体部であるプラットホーム４に形成する（工程Ａ）。凹部４３は、タイル４１や点字ブロックを切り出す等して、平坦なプラットホーム４を凹状に窪ませることにより形成され、この凹部４３の底面に支柱５の設置領域が設定される。
【００４２】
次に、凹部４３底面の設置領域内に、棒状のアンカー部材としての全ネジボルト２の先端（下端）が連結されるアンカー孔４４を形成する（工程Ｂ）。アンカー孔４４は、穿孔機搭載用プレート１を回転させたときに後記穿孔対象位置の上方に切欠き部１２を配置することができる位置、好ましくは、全ての穿孔対象位置の上方に、順次、切欠き部１２（より具体的には、ドリル部３１の先端）を配置することができる位置に形成される。例えば、ベースプレート６が平面視長方形状であり、前記固定用孔が前記ベースプレートの各隅部に設けられている場合には、アンカー孔４４は、それぞれの穿孔対象位置までの距離がほぼ等しい凹部４３底面の略中央に形成することが好ましい（図９参照）。アンカー孔４４は、ハンマドリル等を用いて所定の深さに形成された孔に、グリップアンカー等の雌ネジ部材を取り付けることにより形成される。
【００４３】
次に、図３に示すように、全ネジボルト２の先端をアンカー孔４４に連結することにより、凹部４３内に全ネジボルト２を立設する（工程Ｃ）。次いで、全ネジボルト２に対して据付用孔１３の１つを挿入することにより、全ネジボルト２を回転軸として、凹部４３の全部ないし一部を覆うように、穿孔機搭載用プレート１をプラットホーム４に回転自在に取り付ける（工程Ｄ）。本実施の形態においては、全ネジボルト２に対して、穿孔機搭載用プレート１の底面側からナット１４にねじ込むようにして取り付ける。全ネジボルト２に対して穿孔機搭載用プレート１に固設されたナット１４が螺合することにより、躯体部であるプラットホーム４に対して穿孔機搭載用プレート１を連結することができる。加えて、グリップアンカーが取り付けられたアンカー孔４４に全ネジボルト２をねじ込むことにより、プラットホーム４に対して穿孔機搭載用プレート１を隙間なく取り付けることができる。
【００４４】
図４は図３に示す穿孔用具に搭載された穿孔機を用いて、躯体部の穿孔対象位置にコアを穿設する状態を側面方向から示す部分断面図である。穿孔機搭載用プレート１を取り付けた後、図４に示すように、昇降自在のドリル部３１を備える穿孔機３を穿孔機搭載部１１に搭載する（工程Ｅ）。穿孔機３は、先端にドリルビットが装着されたドリル部３１と、ドリル部を昇降自在（前後進自在）に支持するガイド部３２と、ガイド部を支持し穿孔機搭載部１１に装着されるベース部３３とを備えており、ドリル部３１を降下（前進）させることにより被工作物に円筒状のコアを穿孔することができる。ベース部３３には、切欠き部１２に接近又は離間する方向に伸びる長穴が設けられており、当該長穴に搭載用ボルト１５が挿入した後、搭載用ボルト１５に螺合する図示しない締結用部材で締め付けることにより、穿孔機搭載用プレート１面上に穿孔機３が搭載されている。長穴に対する搭載用ボルト１５の締結位置を調整することにより、所定の範囲内でドリル部３１の位置を調整することができる。
【００４５】
図５は第１の穿孔対象位置にコア４５ａを穿設した状態を示す平面図であり、説明の便宜上、穿孔機３等は図示省略している。図５に示すように、ドリル部３１をプラットホーム４に衝突しない位置まで上昇させた状態で、未穿孔の穿孔対象位置の上方に切欠き部１２が配置される位置まで穿孔機搭載用プレート１を回転させ（工程Ｆ）、ドリル部３１の先端を切欠き部１２内を通して凹部４３内に降下させて、穿孔対象位置に第１のコア４５ａを穿孔する（工程Ｇ）。なお、それぞれのコア４５ａ〜４５ｄは、スラブ４２の裏面側に貫通するように形成される。工程Ｆにおいては、好ましくは、穿孔対象位置の直上にドリル部３１の先端が配置される位置まで穿孔機搭載用プレート１を回転させるが、穿孔機搭載用プレート１の回転のみでは穿孔対象位置の直上にドリル部３１の先端が配置されない場合には、前述のとおり搭載用ボルト１５の締結位置を調整する等して切欠き部１２に対する穿孔機３の搭載位置を適宜調整するようにしても良い。
【００４６】
次に、凹部４３内に設定された穿孔対象位置の全てにコア４５を穿孔するまで、上記工程Ｆ及び工程Ｇを繰り返す（工程Ｈ）。図６は第２の穿孔対象位置にコア４５ｂを穿設した状態を示す平面図であり、図７は第３の穿孔対象位置にコア４５ｃを穿設した状態を示す平面図であり、図８は第４の穿孔対象位置にコア４５ｄを穿設した状態を示す平面図であり、説明の便宜上、各図において穿孔機３等は図示省略している。第１のコア４５ａを穿孔した後、穿孔機３を搭載したまま穿孔機搭載用プレート１を回転させて、次の穿孔対象位置の上方に切欠き部１２を配置して、第２のコア４５ｂを穿孔する（図６参照）。次いで、同様の工程を繰り返すことにより、コア４５ｃ、コア４５ｄを順次穿孔する（図７、図８参照）。
【００４７】
仮に、上記工程Ｂ〜工程Ｈのみでは穿孔対象位置の全てにコアを穿孔することができない場合には、前述の第２の態様の穿孔方法、又は、第３の態様の穿孔方法により、所定の穿孔対象位置にコアを穿孔することができる。いずれの態様による場合でも、凹部４３外にアンカー孔が形成されないため、支柱立設後に、別途、アンカー孔の補修をする必要がない。  
【００４８】
図９は、第１〜第４の穿孔対象位置にコア４５ａ、４５ｂ、４５ｃ、４５ｄを穿孔した後、穿孔機３及び穿孔用具を撤去した状態を示す平面図である。図９に示すように、アンカー孔４４が設置領域（凹部４３）内に設けられるため、別途補修する必要が無く、支柱５の立設工事等を迅速に行うことができる。
【００４９】
図１０は、設置領域である凹部４３内に設置対象部材である支柱５の基端部５２を固設した状態を側面方向から示す部分断面図である。穿孔機３及び穿孔用具（穿孔機搭載用プレート１及び全ネジボルト２）を撤去した後、コア４５ａ、４５ｂ、４５ｃ、４５ｄのそれぞれに固定用孔６１のそれぞれが連通するようにベースプレート６を凹部４３の底面上に配置する（工程Ｉ）。次いで、固定用孔６１及びコア４５に装着される固定用金具７を用いて、ベースプレート６をプラットホーム４に対して固設することにより、プラットホーム４の設置領域内に支柱５を立設する（工程Ｊ）。固定用金具７は、固定用孔６１及びコア４５に挿入されるボルト７１と、ボルト７１の各端部に螺合するナット７２とにより構成されるが、一例に過ぎない。
【００５０】
最後に、無収縮モルタル等で凹部４３を埋設する（工程Ｋ）。凹部４３を埋設することにより、ベースプレート６と同時にアンカー孔４４も埋設されることから、アンカー孔４４を別途補修する必要がない。
【００５１】
上述の本発明に係る支柱立設方法によれば、支柱の立設工事を迅速に行うことができる。すなわち、穿孔機３を搭載した状態で穿孔位置を変えることができるため、支柱５の基端部５２を躯体部であるプラットホーム４に固定するためのコア４５の穿孔を迅速に行うことができ、支柱５の立設工事を迅速に行うことができる。また、穿孔機３を設置するためのアンカー孔４４が支柱５の設置領域内である凹部４３内に形成され、穿孔後はベースプレート６とともに埋設されるため、別途補修する必要が無く、支柱５の立設工事等を迅速に行うことができる。加えて、穿孔機搭載用プレート１によれば、穿孔機３を作動させたときにタイル４１等の載置面が傷みにくく、穿孔後の補修が不要であることから、迅速に支柱５の立設工事を終えることができる。
【００５２】
本発明は、上記実施の形態ないし実施例に限定されず、その発明の趣旨を逸脱しない範囲で種々変形実施が可能である。上記実施の形態ないし実施例においては、専ら、支柱を立設する際の適用例に基づいて本発明の特徴を説明したが、本発明は、穿孔機を用いてコアを穿孔する場面において、一般的ないし汎用的に適用することができる。本発明は、躯体部に設置される固定式の穿孔機を用いて、アンカー部材の周囲に複数のコアを穿孔する場合に特に有用な技術であるが、これに限られず、設置対象部材が固定される躯体部の設置領域内に固定用のコアを穿孔する場合に汎用的に用いることができる。
【産業上の利用可能性】
【００５３】
本発明は、固定柵を構築するための支柱の立設工事等に適用することができる。本発明は、昇降自在のドリル部を備える各種の穿孔機に適用することができる。
【符号の説明】
【００５４】
１      穿孔機据付用プレート
１１    穿孔機搭載部
１２    切欠き部
１３    据付用孔
１４    ナット
１５    搭載用ボルト
２      全ネジボルト（アンカー部材）
３      穿孔機
３１    ドリル部
３２    ガイド部
３３    ベース部
４      プラットホーム（躯体部）
４１    タイル
４２    スラブ
４３    凹部
４４    アンカー孔
４５    コア
４６    ホーム面
５      支柱（設置対象部材）
６      ベースプレート
６１    固定用孔
７      固定用金具
８      アンカーボルト
９      プラットホーム
９１    タイル
９２    スラブ
９３    凹部
９４    アンカー孔
９５    コア
９６    ホーム面
【図１】
2020082710.tif 000003
【図２】
2020082710.tif 000004
【図３】
2020082710.tif 000005
【図４】
2020082710.tif 000006
【図５】
2020082710.tif 000007
【図６】
2020082710.tif 000008
【図７】
2020082710.tif 000009
【図８】
2020082710.tif 000010
【図９】
2020082710.tif 000011
【図１０】
2020082710.tif 000012
【図１１】
2020082710.tif 000013
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
設置対象部材が固定される躯体部の設置領域内に固定用のコアを穿孔するための穿孔用具において、
昇降自在のドリル部を備える穿孔機が搭載される穿孔機搭載部と、
前記ドリル部を挿入可能な窓枠状に切り欠かれた切欠き部と、
前記穿孔機搭載部と前記切欠き部との間に設けられ、前記設置領域内の躯体部に連結される棒状のアンカー部材を回転自在に挿入可能な据付用孔と、
を備える穿孔機搭載用プレートを有する穿孔用具を用いた穿孔方法であって、
前記躯体部の前記設置領域内に第１のアンカー孔を形成する工程１と、
棒状のアンカー部材の先端を前記第１のアンカー孔に連結することにより、前記設置領域内に前記アンカー部材を立設する工程２と、
前記アンカー部材に対して前記据付用孔の１つを挿入することにより、前記アンカー部材を回転軸として、前記穿孔機搭載用プレートを前記躯体部に回転自在に取り付ける工程３と、
昇降自在のドリル部を備える穿孔機を、前記穿孔機搭載部に搭載する工程４と、
前記ドリル部を前記躯体部に衝突しない位置まで上昇させた状態で、未穿孔の穿孔対象位置の上方に前記切欠き部が配置される位置まで前記穿孔機搭載用プレートを回転させる工程５と、
前記ドリル部の先端を前記切欠き部内を通過させて、前記穿孔対象位置にコアを穿孔する工程６と、
前記切欠き部を上方に配置可能な穿孔対象位置の全てにコアを穿孔するまで、上記工程５及び工程６を繰り返す工程７と、
を含み、
前記据付用孔が間隔をあけて複数設けられており、
前記工程１〜前記工程７を実行した後、未穿孔の穿孔対象位置がある場合には、
前記工程３で挿入した据付用孔とは異なる据付用孔の１つに前記アンカー部材を挿入することにより、前記穿孔機搭載用プレートを前記躯体部に回転自在に取り付けるステップａと、
未穿孔の穿孔対象位置の上方に前記切欠き部が配置される位置まで前記穿孔機搭載用プレートを回転させるステップｂと、
前記ドリル部の先端を前記切欠き部内を通過させて、前記穿孔対象位置にコアを穿孔するステップｃと、
を含む工程８を実行することを特徴とする穿孔方法。
【手続補正２】
【補正対象書類名】明細書
【補正対象項目名】００１３
【補正方法】変更
【補正の内容】
【００１３】
なお、前記削孔方法は、
前記据付用孔が間隔をあけて複数設けられており、
前記工程１〜前記工程７を実行した後、未穿孔の穿孔対象位置がある場合には、
前記工程３で挿入した据付用孔とは異なる据付用孔の１つに前記アンカー部材を挿入することにより、前記穿孔機搭載用プレートを前記躯体部に回転自在に取り付け直すステップａと、
未穿孔の穿孔対象位置の上方に前記切欠き部が配置される位置まで前記穿孔機搭載用プレートを回転させるステップｂと、
前記ドリル部の先端を前記切欠き部内を通過させて、前記穿孔対象位置にコアを穿孔するステップｃと、
を含む工程８を実行するものであっても良い。
すなわち、本発明に係る削孔方法は、
設置対象部材が固定される躯体部の設置領域内に固定用のコアを穿孔するための穿孔用具において、
昇降自在のドリル部を備える穿孔機が搭載される穿孔機搭載部と、
前記ドリル部を挿入可能な窓枠状に切り欠かれた切欠き部と、
前記穿孔機搭載部と前記切欠き部との間に設けられ、前記設置領域内の躯体部に連結される棒状のアンカー部材を回転自在に挿入可能な据付用孔と、
を備える穿孔機搭載用プレートを有する穿孔用具を用いた穿孔方法であって、
前記躯体部の前記設置領域内に第１のアンカー孔を形成する工程１と、
棒状のアンカー部材の先端を前記第１のアンカー孔に連結することにより、前記設置領域内に前記アンカー部材を立設する工程２と、
前記アンカー部材に対して前記据付用孔の１つを挿入することにより、前記アンカー部材を回転軸として、前記穿孔機搭載用プレートを前記躯体部に回転自在に取り付ける工程３と、
昇降自在のドリル部を備える穿孔機を、前記穿孔機搭載部に搭載する工程４と、
前記ドリル部を前記躯体部に衝突しない位置まで上昇させた状態で、未穿孔の穿孔対象位置の上方に前記切欠き部が配置される位置まで前記穿孔機搭載用プレートを回転させる工程５と、
前記ドリル部の先端を前記切欠き部内を通過させて、前記穿孔対象位置にコアを穿孔する工程６と、
前記切欠き部を上方に配置可能な穿孔対象位置の全てにコアを穿孔するまで、上記工程５及び工程６を繰り返す工程７と、
を含み、
前記据付用孔が間隔をあけて複数設けられており、
前記工程１〜前記工程７を実行した後、未穿孔の穿孔対象位置がある場合には、
前記工程３で挿入した据付用孔とは異なる据付用孔の１つに前記アンカー部材を挿入することにより、前記穿孔機搭載用プレートを前記躯体部に回転自在に取り付けるステップａと、
未穿孔の穿孔対象位置の上方に前記切欠き部が配置される位置まで前記穿孔機搭載用プレートを回転させるステップｂと、
前記ドリル部の先端を前記切欠き部内を通過させて、前記穿孔対象位置にコアを穿孔するステップｃと、
を含む工程８を実行することを特徴とする穿孔方法であっても良い。
あるいは、前記削孔方法は、
前記工程１〜前記工程７を実行した後、未穿孔の穿孔対象位置がある場合には、
前記設置領域内の前記第１のアンカー孔とは異なる位置に第２のアンカー孔を形成するステップと、
前記第１のアンカー孔から取り外した前記アンカー部材の先端を前記第２のアンカー孔に連結することにより、前記設置領域内に前記アンカー部材を立設し直すステップと、
を含む工程を実行した後、
前記工程３〜前記工程７を再度実行するものであっても良い。